(57)【要約】  本願実施例は信号伝送の方法、端末装置及びネットワーク装置を開示し、該方法は、端末装置がターゲットアップリンク信号に対応するチャネル状態情報−参照信号（ＣＳＩ−ＲＳ）リソース指示情報を決定することと、該端末装置が該ＣＳＩ−ＲＳリソース指示情報に基づいて、該ターゲットアップリンク信号の電力制御パラメータを決定することと、該端末装置が該電力制御パラメータに基づいて、該ターゲットアップリンク信号の送信電力を決定することと、該端末装置が該送信電力に基づいて、ネットワーク装置に該ターゲットアップリンク信号を送信することと、を含む。本願実施例の方法、端末装置及びネットワーク装置は、電力制御の精度向上に利し、それによって、システム伝送性能を高めることができる。
2021503854.tif 000002
【特許請求の範囲】
【請求項１】
端末装置がターゲットアップリンク信号に対応するチャネル状態情報−参照信号（ＣＳＩ−ＲＳ）リソース指示情報を決定することと、
前記端末装置が前記ＣＳＩ−ＲＳリソース指示情報に基づいて、前記ターゲットアップリンク信号の電力制御パラメータを決定することと、
前記端末装置が前記電力制御パラメータに基づいて、前記ターゲットアップリンク信号の送信電力を決定することと、
前記端末装置が前記送信電力に基づいて、前記ターゲットアップリンク信号をネットワーク装置に送信することと、を含むことを特徴とする信号伝送の方法。
【請求項２】
前記ターゲットアップリンク信号は物理アップリンク共有チャネル（ＰＵＳＣＨ）、物理アップリンク制御チャネル（ＰＵＣＣＨ）、又は測定参照信号（ＳＲＳ）であることを特徴とする請求項１に記載の方法。
【請求項３】
前記ターゲットアップリンク信号は、ノンコードブックに基づくプリコーディングのＰＵＳＣＨであり、又はノンコードブックに基づくプリコーディングのＰＵＳＣＨの伝送パラメータを取得するための測定参照信号（ＳＲＳ）であることを特徴とする請求項１又は２に記載の方法。
【請求項４】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項１〜３のいずれか１項に記載の方法。
【請求項５】
前記第１のＳＲＳは、前記ターゲットアップリンク信号の伝送パラメータを取得するためのＳＲＳであり、又は前記第１のＳＲＳは、前記ターゲットアップリンク信号をスケジューリングするためのダウンリンク制御情報（ＤＣＩ）に含まれるＳＲＳリソース指示情報に示されるＳＲＳリソースにおいて伝送されるＳＲＳであることを特徴とする請求項４に記載の方法。
【請求項６】
前記方法は更に、
前記端末装置が前記ネットワーク装置から送信された第１情報を受信し、前記第１情報が前記ＣＳＩ−ＲＳリソース指示情報を含むことを含み、
前記端末装置がターゲットアップリンク信号に対応するＣＳＩ−ＲＳリソース指示情報を決定することは、
前記端末装置が前記第１情報から、前記ＣＳＩ−ＲＳリソース指示情報を決定することを含むことを特徴とする請求項１〜５のいずれか１項に記載の方法。
【請求項７】
前記ターゲットアップリンク信号がＰＵＳＣＨである場合、前記第１情報は、前記ＰＵＳＣＨをスケジューリングするためのＤＣＩ、又は前記ＰＵＳＣＨに対応する第２のＳＲＳを設定、トリガ、又はアクティブ化するためのダウンリンクシグナリングであることを特徴とする請求項６に記載の方法。
【請求項８】
前記第２のＳＲＳは、前記ＰＵＳＣＨの伝送パラメータを取得するためのＳＲＳであり、又は前記第２のＳＲＳは、前記ＰＵＳＣＨをスケジューリングするためのＤＣＩに含まれるＳＲＳリソース指示情報に示されるＳＲＳリソースにおいて伝送されるＳＲＳであることを特徴とする請求項７に記載の方法。
【請求項９】
前記伝送パラメータは、使用される周波数領域リソース、レイヤー数、プリコーディング行列、変調符号化方式及び送信ビームのうちの少なくとも１つの情報を含むことを特徴とする請求項３、５、８のいずれか１項に記載の方法。
【請求項１０】
前記ターゲットアップリンク信号がＳＲＳである場合、前記第１情報は前記ＳＲＳを設定、トリガ、又はアクティブ化するためのダウンリンクシグナリングであることを特徴とする請求項６に記載の方法。
【請求項１１】
前記方法は更に、
前記端末装置が前記ネットワーク装置から送信された設定情報を受信し、前記設定情報は、少なくとも１つのＣＳＩ−ＲＳリソースと少なくとも１セットの電力制御パラメータとの対応関係を示すことに用いられ、前記少なくとも１つのＣＳＩ−ＲＳリソースは、前記ＣＳＩ−ＲＳリソース指示情報に示されるＣＳＩ−ＲＳリソースを含み、前記少なくとも１セットの電力制御パラメータのうちの各セットの電力制御パラメータは、少なくとも１つの電力制御パラメータの値を含むことを含み、
前記端末装置が前記ＣＳＩ−ＲＳリソース指示情報に基づいて、前記ターゲットアップリンク信号の電力制御パラメータを決定することは、
前記端末装置が前記ＣＳＩ−ＲＳリソース指示情報及び前記設定情報に基づいて、前記電力制御パラメータを決定することを含むことを特徴とする請求項１〜１０のいずれか１項に記載の方法。
【請求項１２】
前記方法は更に、
前記端末装置が前記ネットワーク装置から送信された設定情報を受信し、前記設定情報は、少なくとも１つのＣＳＩ−ＲＳリソース指示情報と少なくとも１セットの電力制御パラメータとの対応関係を示すことに用いられ、前記少なくとも１つのＣＳＩ−ＲＳリソース指示情報は、前記ＣＳＩ−ＲＳリソース指示情報を含み、前記少なくとも１セットの電力制御パラメータのうちの各セットの電力制御パラメータは、少なくとも１つの電力制御パラメータの値を含むことを含み、
前記端末装置が前記ＣＳＩ−ＲＳリソース指示情報に基づいて、前記ターゲットアップリンク信号の電力制御パラメータを決定することは、
前記端末装置が前記ＣＳＩ−ＲＳリソース指示情報及び前記設定情報に基づいて、前記電力制御パラメータを決定することを含むことを特徴とする請求項１〜１０のいずれか１項に記載の方法。
【請求項１３】
前記電力制御パラメータは、前記送信電力を計算するためのパスロス値、前記送信電力を計算するためのパスロス値を測定するためのダウンリンク信号の情報、開ループ電力制御パラメータ及び閉ループ電力制御パラメータのうちの少なくとも１つの情報を含むことを特徴とする請求項１〜１２のいずれか１項に記載の方法。
【請求項１４】
前記開ループ電力制御パラメータは、ターゲット電力Ｐｏの値、パスロス重み係数ａの値、ターゲット電力Ｐｏのインデックス、又はパスロス重み係数ａのインデックスを含むことを特徴とする請求項１３に記載の方法。
【請求項１５】
前記閉ループ電力制御パラメータは、閉ループ電力制御プロセスのインデックスを含むことを特徴とする請求項１３に記載の方法。
【請求項１６】
前記端末装置がターゲットアップリンク信号に対応するＣＳＩ−ＲＳリソース指示情報を決定する前に、前記方法は更に、
前記端末装置が、前記ネットワーク装置によって事前に設定された電力制御パラメータを採用して、前記ターゲットアップリンク信号の送信電力を決定することを含むことを特徴とする請求項１〜１５のいずれか１項に記載の方法。
【請求項１７】
ネットワーク装置は、端末装置にターゲットアップリンク信号に対応するチャネル状態情報−参照信号（ＣＳＩ−ＲＳ）リソース指示情報を送信し、前記ＣＳＩ−ＲＳリソース指示情報は、前記端末装置が前記ターゲットアップリンク信号の電力制御パラメータを決定することに用いられることと、
前記ネットワーク装置は、前記端末装置が前記電力制御パラメータに基づいて送信した前記ターゲットアップリンク信号を受信することと、を含むことを特徴とする信号伝送の方法。
【請求項１８】
前記ターゲットアップリンク信号は、物理アップリンク共有チャネル（ＰＵＳＣＨ）、物理アップリンク制御チャネル（ＰＵＣＣＨ）、又は測定参照信号（ＳＲＳ）であることを特徴とする請求項１７に記載の方法。
【請求項１９】
前記ターゲットアップリンク信号は、ノンコードブックに基づくプリコーディングの物理アップリンク共有チャネル（ＰＵＳＣＨ）であり、又はノンコードブックに基づくプリコーディングの物理アップリンク共有チャネル（ＰＵＳＣＨ）の伝送パラメータを取得するための測定参照信号（ＳＲＳ）であることを特徴とする請求項１７又は１８に記載の方法。
【請求項２０】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項１７〜１９のいずれか１項に記載の方法。
【請求項２１】
前記第１のＳＲＳは、前記ターゲットアップリンク信号の伝送パラメータを取得するためのＳＲＳであり、又は前記第１のＳＲＳは、前記ターゲットアップリンク信号をスケジューリングするためのダウンリンク制御情報（ＤＣＩ）に含まれるＳＲＳリソース指示情報に示されるＳＲＳリソースにおいて伝送されるＳＲＳであることを特徴とする請求項２０に記載の方法。
【請求項２２】
前記ターゲットアップリンク信号がＰＵＳＣＨである場合、前記ＣＳＩ−ＲＳリソース指示情報は、前記ＰＵＳＣＨをスケジューリングするためのダウンリンク制御情報（ＤＣＩ）、又は前記ＰＵＳＣＨに対応する第２のＳＲＳを設定、トリガ、又はアクティブ化するためのダウンリンクシグナリングにベアリングされることを特徴とする請求項１７〜２１のいずれか１項に記載の方法。
【請求項２３】
前記第２のＳＲＳは、前記ＰＵＳＣＨの伝送パラメータを取得するためのＳＲＳであり、又は前記第２のＳＲＳは、前記ＰＵＳＣＨをスケジューリングするためのＤＣＩに含まれるＳＲＳリソース指示情報に示されるＳＲＳリソースにおいて伝送されるＳＲＳであることを特徴とする請求項２２に記載の方法。
【請求項２４】
前記伝送パラメータは、使用される周波数領域リソース、レイヤー数、プリコーディング行列、変調符号化方式及び送信ビームのうちの少なくとも１つの情報を含むことを特徴とする請求項１９、２１、２３のいずれか１項に記載の方法。
【請求項２５】
前記ターゲットアップリンク信号がＳＲＳである場合、前記ＣＳＩ−ＲＳリソース指示情報は前記ＳＲＳを設定、トリガ、又はアクティブ化するためのダウンリンクシグナリングにベアリングされることを特徴とする請求項１７〜２４のいずれか１項に記載の方法。
【請求項２６】
前記方法は更に、
前記ネットワーク装置が前記端末装置に設定情報を送信し、前記設定情報は、少なくとも１つのＣＳＩ−ＲＳリソースと少なくとも１セットの電力制御パラメータとの対応関係を示すことに用いられ、前記少なくとも１つのＣＳＩ−ＲＳリソースは、前記ＣＳＩ−ＲＳリソース指示情報に示されるＣＳＩ−ＲＳリソースを含み、前記少なくとも１セットの電力制御パラメータのうちの各セットの電力制御パラメータは、少なくとも１つの電力制御パラメータの値を含むことを含むことを特徴とする請求項１７〜２５のいずれか１項に記載の方法。
【請求項２７】
前記方法は更に、
前記ネットワーク装置が前記端末装置に設定情報を送信し、前記設定情報は、少なくとも１つのＣＳＩ−ＲＳリソース指示情報と少なくとも１セットの電力制御パラメータとの対応関係を示すことに用いられ、前記少なくとも１つのＣＳＩ−ＲＳリソース指示情報は、前記ＣＳＩ−ＲＳリソース指示情報を含み、前記少なくとも１セットの電力制御パラメータのうちの各セットの電力制御パラメータは、少なくとも１つの電力制御パラメータの値を含むことを含むことを特徴とする請求項１７〜２５のいずれか１項に記載の方法。
【請求項２８】
前記電力制御パラメータは、前記送信電力を計算するためのパスロス値、前記送信電力を計算するためのパスロス値を測定するためのダウンリンク信号の情報、開ループ電力制御パラメータ及び閉ループ電力制御パラメータのうちの少なくとも１つの情報を含むことを特徴とする請求項１７〜２７のいずれか１項に記載の方法。
【請求項２９】
前記開ループ電力制御パラメータは、ターゲット電力Ｐｏの値、パスロス重み係数ａの値、ターゲット電力Ｐｏのインデックス、又はパスロス重み係数ａのインデックスを含むことを特徴とする請求項２８に記載の方法。
【請求項３０】
前記閉ループ電力制御パラメータは、閉ループ電力制御プロセスのインデックスを含むことを特徴とする請求項２８に記載の方法。
【請求項３１】
ターゲットアップリンク信号に対応するチャネル状態情報−参照信号（ＣＳＩ−ＲＳ）リソース指示情報を決定することに用いられる第１決定ユニットと、
前記ＣＳＩ−ＲＳリソース指示情報に基づいて、前記ターゲットアップリンク信号の電力制御パラメータを決定することに用いられる第２決定ユニットと、
前記電力制御パラメータに基づいて、前記ターゲットアップリンク信号の送信電力を決定することに用いられる第３決定ユニットと、
前記送信電力に基づいて、前記ターゲットアップリンク信号をネットワーク装置に送信することに用いられる送信ユニットと、を備えることを特徴とする端末装置。
【請求項３２】
前記ターゲットアップリンク信号は物理アップリンク共有チャネル（ＰＵＳＣＨ）、物理アップリンク制御チャネル（ＰＵＣＣＨ）、又は測定参照信号（ＳＲＳ）であることを特徴とする請求項３１に記載の端末装置。
【請求項３３】
前記ターゲットアップリンク信号は、ノンコードブックに基づくプリコーディングのＰＵＳＣＨであり、又はノンコードブックに基づくプリコーディングのＰＵＳＣＨの伝送パラメータを取得するための測定参照信号（ＳＲＳ）であることを特徴とする請求項３１又は３２に記載の端末装置。
【請求項３４】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項３１〜３３のいずれか１項に記載の端末装置。
【請求項３５】
前記第１のＳＲＳは、前記ターゲットアップリンク信号の伝送パラメータを取得するためのＳＲＳであり、又は前記第１のＳＲＳは、前記ターゲットアップリンク信号をスケジューリングするためのダウンリンク制御情報（ＤＣＩ）に含まれるＳＲＳリソース指示情報に示されるＳＲＳリソースにおいて伝送されるＳＲＳであることを特徴とする請求項３４に記載の端末装置。
【請求項３６】
前記端末装置は更に、
前記ネットワーク装置から送信された第１情報を受信することに用いられ、前記第１情報が前記ＣＳＩ−ＲＳリソース指示情報を含む第１受信ユニットを備え、
前記第１決定ユニットは具体的に、
前記第１情報から前記ＣＳＩ−ＲＳリソース指示情報を決定することに用いられることを特徴とする請求項３１〜３５のいずれか１項に記載の端末装置。
【請求項３７】
前記ターゲットアップリンク信号がＰＵＳＣＨである場合、前記第１情報は前記ＰＵＳＣＨをスケジューリングするためのＤＣＩ、又は前記ＰＵＳＣＨに対応する第２のＳＲＳを設定、トリガ、又はアクティブ化するためのダウンリンクシグナリングであることを特徴とする請求項３６に記載の端末装置。
【請求項３８】
前記第２のＳＲＳは、前記ＰＵＳＣＨの伝送パラメータを取得するためのＳＲＳであり、又は前記第２のＳＲＳは、前記ＰＵＳＣＨをスケジューリングするためのＤＣＩに含まれるＳＲＳリソース指示情報に示されるＳＲＳリソースにおいて伝送されるＳＲＳであることを特徴とする請求項３７に記載の端末装置。
【請求項３９】
前記伝送パラメータは、使用される周波数領域リソース、レイヤー数、プリコーディング行列、変調符号化方式及び送信ビームのうちの少なくとも１つの情報を含むことを特徴とする請求項３３、３５、３８のいずれか１項に記載の端末装置。
【請求項４０】
前記ターゲットアップリンク信号がＳＲＳである場合、前記第１情報は前記ＳＲＳを設定、トリガ、又はアクティブ化するためのダウンリンクシグナリングであることを特徴とする請求項３６に記載の端末装置。
【請求項４１】
前記端末装置は更に、
前記ネットワーク装置から送信された設定情報を受信することに用いられ、前記設定情報は、少なくとも１つのＣＳＩ−ＲＳリソースと少なくとも１セットの電力制御パラメータとの対応関係を示すことに用いられ、前記少なくとも１つのＣＳＩ−ＲＳリソースは、前記ＣＳＩ−ＲＳリソース指示情報に示されるＣＳＩ−ＲＳリソースを含み、前記少なくとも１セットの電力制御パラメータのうちの各セットの電力制御パラメータは、少なくとも１つの電力制御パラメータの値を含む第２受信ユニットを備え、
前記第２決定ユニットは具体的に、
前記ＣＳＩ−ＲＳリソース指示情報及び前記設定情報に基づいて、前記電力制御パラメータを決定することに用いられることを特徴とする請求項３１〜４０のいずれか１項に記載の端末装置。
【請求項４２】
前記端末装置は更に、
前記ネットワーク装置から送信された設定情報を受信することに用いられ、前記設定情報は、少なくとも１つのＣＳＩ−ＲＳリソース指示情報と少なくとも１セットの電力制御パラメータとの対応関係を示すことに用いられ、前記少なくとも１つのＣＳＩ−ＲＳリソース指示情報は、前記ＣＳＩ−ＲＳリソース指示情報を含み、前記少なくとも１セットの電力制御パラメータのうちの各セットの電力制御パラメータは、少なくとも１つの電力制御パラメータの値を含む第２受信ユニットを備え、
前記第２決定ユニットは具体的に、
前記ＣＳＩ−ＲＳリソース指示情報及び前記設定情報に基づいて、前記電力制御パラメータを決定することに用いられることを特徴とする請求項３１〜４０のいずれか１項に記載の端末装置。
【請求項４３】
前記電力制御パラメータは、前記送信電力を計算するためのパスロス値、前記送信電力を計算するためのパスロス値を測定するためのダウンリンク信号の情報、開ループ電力制御パラメータ及び閉ループ電力制御パラメータのうちの少なくとも１つの情報を含むことを特徴とする請求項３１〜４２のいずれか１項に記載の端末装置。
【請求項４４】
前記開ループ電力制御パラメータは、ターゲット電力Ｐｏの値、パスロス重み係数ａの値、ターゲット電力Ｐｏのインデックス、又はパスロス重み係数ａのインデックスを含むことを特徴とする請求項４３に記載の端末装置。
【請求項４５】
前記閉ループ電力制御パラメータは、閉ループ電力制御プロセスのインデックスを含むことを特徴とする請求項４３に記載の端末装置。
【請求項４６】
前記端末装置がターゲットアップリンク信号に対応するＣＳＩ−ＲＳリソース指示情報を決定する前に、前記端末装置は更に、
前記第１決定ユニットがターゲットアップリンク信号に対応するＣＳＩ−ＲＳリソース指示情報を決定する前に、前記ネットワーク装置によって事前に設定された電力制御パラメータを採用して、前記ターゲットアップリンク信号の送信電力を決定することに用いられる第４決定ユニットを備えることを特徴とする請求項３１〜４５のいずれか１項に記載の端末装置。
【請求項４７】
ターゲットアップリンク信号に対応するチャネル状態情報−参照信号（ＣＳＩ−ＲＳ）リソース指示情報を端末装置に送信することに用いられ、前記ＣＳＩ−ＲＳリソース指示情報は、前記端末装置が前記ターゲットアップリンク信号の電力制御パラメータを決定することに用いられる第１送信ユニットと、
前記端末装置が前記電力制御パラメータに基づいて送信した前記ターゲットアップリンク信号を受信することに用いられる受信ユニットと、を備えることを特徴とするネットワーク装置。
【請求項４８】
前記ターゲットアップリンク信号は物理アップリンク共有チャネル（ＰＵＳＣＨ）、物理アップリンク制御チャネル（ＰＵＣＣＨ）、又は測定参照信号（ＳＲＳ）であることを特徴とする請求項４７に記載のネットワーク装置。
【請求項４９】
前記ターゲットアップリンク信号は、ノンコードブックに基づくプリコーディングの物理アップリンク共有チャネル（ＰＵＳＣＨ）であり、又はノンコードブックに基づくプリコーディングの物理アップリンク共有チャネル（ＰＵＳＣＨ）の伝送パラメータを取得するための測定参照信号（ＳＲＳ）であることを特徴とする請求項４７又は４８に記載のネットワーク装置。
【請求項５０】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項４７〜４９のいずれか１項に記載のネットワーク装置。
【請求項５１】
前記第１のＳＲＳは、前記ターゲットアップリンク信号の伝送パラメータを取得するためのＳＲＳであり、又は前記第１のＳＲＳは、前記ターゲットアップリンク信号をスケジューリングするためのダウンリンク制御情報（ＤＣＩ）に含まれるＳＲＳリソース指示情報に示されるＳＲＳリソースにおいて伝送されるＳＲＳであることを特徴とする請求項５０に記載のネットワーク装置。
【請求項５２】
前記ターゲットアップリンク信号がＰＵＳＣＨである場合、前記ＣＳＩ−ＲＳリソース指示情報は、前記ＰＵＳＣＨをスケジューリングするためのダウンリンク制御情報（ＤＣＩ）、又は前記ＰＵＳＣＨに対応する第２のＳＲＳを設定、トリガ、又はアクティブ化するためのダウンリンクシグナリングにベアリングされることを特徴とする請求項４７〜５１のいずれか１項に記載のネットワーク装置。
【請求項５３】
前記第２のＳＲＳは、前記ＰＵＳＣＨの伝送パラメータを取得するためのＳＲＳであり、又は前記第２のＳＲＳは、前記ＰＵＳＣＨをスケジューリングするためのＤＣＩに含まれるＳＲＳリソース指示情報に示されるＳＲＳリソースにおいて伝送されるＳＲＳであることを特徴とする請求項５２に記載のネットワーク装置。
【請求項５４】
前記伝送パラメータは、使用される周波数領域リソース、レイヤー数、プリコーディング行列、変調符号化方式及び送信ビームのうちの少なくとも１つの情報を含むことを特徴とする請求項４９、５１、５３のいずれか１項に記載のネットワーク装置。
【請求項５５】
前記ターゲットアップリンク信号がＳＲＳである場合、前記ＣＳＩ−ＲＳリソース指示情報は前記ＳＲＳを設定、トリガ、又はアクティブ化するためのダウンリンクシグナリングにベアリングされることを特徴とする請求項４７〜５４のいずれか１項に記載のネットワーク装置。
【請求項５６】
前記ネットワーク装置は更に、
前記端末装置に設定情報を送信することに用いられ、前記設定情報は、前記少なくとも１つのＣＳＩ−ＲＳリソースと少なくとも１セットの電力制御パラメータとの対応関係を示すことに用いられ、前記少なくとも１つのＣＳＩ−ＲＳリソースは、前記ＣＳＩ−ＲＳリソース指示情報に示されるＣＳＩ−ＲＳリソースを含み、前記少なくとも１セットの電力制御パラメータのうちの各セットの電力制御パラメータは、少なくとも１つの電力制御パラメータの値を含む第２送信ユニットを備えることを特徴とする請求項４７〜５５のいずれか１項に記載のネットワーク装置。
【請求項５７】
前記ネットワーク装置は更に、
前記端末装置に設定情報を送信することに用いられ、前記設定情報は、少なくとも１つのＣＳＩ−ＲＳリソース指示情報と少なくとも１セットの電力制御パラメータとの対応関係を示すことに用いられ、前記少なくとも１つのＣＳＩ−ＲＳリソース指示情報は、前記ＣＳＩ−ＲＳリソース指示情報を含み、前記少なくとも１セットの電力制御パラメータのうちの各セットの電力制御パラメータは、少なくとも１つの電力制御パラメータの値を含む第２送信ユニットを備えることを特徴とする請求項４７〜５５のいずれか１項に記載のネットワーク装置。
【請求項５８】
前記電力制御パラメータは、前記送信電力を計算するためのパスロス値、前記送信電力を計算するためのパスロス値を測定するためのダウンリンク信号の情報、開ループ電力制御パラメータ及び閉ループ電力制御パラメータのうちの少なくとも１つの情報を含むことを特徴とする請求項４７〜５７のいずれか１項に記載のネットワーク装置。
【請求項５９】
前記開ループ電力制御パラメータは、ターゲット電力Ｐｏの値、パスロス重み係数ａの値、ターゲット電力Ｐｏのインデックス、又はパスロス重み係数ａのインデックスを含むことを特徴とする請求項５８に記載のネットワーク装置。
【請求項６０】
前記閉ループ電力制御パラメータは、閉ループ電力制御プロセスのインデックスを含むことを特徴とする請求項５８に記載のネットワーク装置。
【発明の詳細な説明】
【技術分野】
【０００１】
本願実施例は通信分野に関し、より具体的に、信号伝送の方法、端末装置、及びネットワーク装置に関する。
【背景技術】
【０００２】
アップリンク信号の場合、端末の電力制御は、節電とセル間干渉の抑制という２つの面において重要な意義を有し、従って、アップリンク電力制御の精度を如何にして高めるかはずっと検討されてきた課題である。
【発明の概要】
【発明が解決しようとする課題】
【０００３】
これに鑑みて、本願実施例は、アップリンク電力制御の精度向上に利する信号伝送の方法、端末装置、及びネットワーク装置を提供し、それによって、システム伝送性能を高めることができる。
【課題を解決するための手段】
【０００４】
第１態様では、信号伝送の方法を提供し、該方法は、端末装置がターゲットアップリンク信号に対応するチャネル状態情報−参照信号（ＣＳＩ−ＲＳ）リソース指示情報を決定することと、該端末装置が該ＣＳＩ−ＲＳリソース指示情報に基づいて、該ターゲットアップリンク信号の電力制御パラメータを決定することと、該端末装置が該電力制御パラメータに基づいて、該ターゲットアップリンク信号の送信電力を決定することと、該端末装置が該送信電力に基づいて、ネットワーク装置に該ターゲットアップリンク信号を送信することと、を含む。
【０００５】
ＣＳＩ−ＲＳリソース指示情報はＣＳＩ−ＲＳリソースを示すための指示情報であってもよい。ネットワーク装置は１つ又は複数のＣＳＩ−ＲＳリソースを事前に設定し又はプロトコルによって約束してもよく、ネットワーク装置は更に、異なるＣＳＩ−ＲＳリソースを事前に設定し、又は異なるＣＳＩ−ＲＳリソース指示情報を１セットの独立する電力制御パラメータに対応するように事前に設定してもよく、１セットの独立する電力制御パラメータは少なくとも１つの電力制御パラメータの値を含む。電力制御パラメータは、送信電力の計算式におけるいずれか１つのパラメータ、又は複数のパラメータの任意の組み合わせであってもよい。
【０００６】
ネットワーク装置から送信されたＣＳＩ−ＲＳリソース指示情報に対応する電力制御パラメータを参照してターゲットアップリンク信号の送信電力を決定することで、アップリンク電力制御の精度向上に利し、それによって、システム伝送性能を高めることができる。
【０００７】
１つの可能な実現方式では、該ターゲットアップリンク信号は物理アップリンク共有チャネル（ＰＵＳＣＨ）、物理アップリンク制御チャネル（ＰＵＣＣＨ）、又は測定参照信号（ＳＲＳ）である。
【０００８】
１つの可能な実現方式では、該ターゲットアップリンク信号は、ノンコードブックに基づくプリコーディングのＰＵＳＣＨ、又はノンコードブックに基づくプリコーディングのＰＵＳＣＨの伝送パラメータを取得するための測定参照信号（ＳＲＳ）である。
【０００９】
１つの可能な実現方式では、該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【００１０】
１つの可能な実現方式では、該第１のＳＲＳは、該ターゲットアップリンク信号の伝送パラメータを取得するためのＳＲＳであり、又は該第１のＳＲＳは、該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【００１１】
１つの可能な実現方式では、該方法は更に、該端末装置が該ネットワーク装置から送信された第１情報を受信し、該第１情報は該ＣＳＩ−ＲＳリソース指示情報を含むことを含み、該端末装置がターゲットアップリンク信号に対応するＣＳＩ−ＲＳリソース指示情報を決定することは、該端末装置が該第１情報から該ＣＳＩ−ＲＳリソース指示情報を決定することを含む。
【００１２】
１つの可能な実現方式では、該ターゲットアップリンク信号がＰＵＳＣＨである場合、該第１情報は該ＰＵＳＣＨをスケジューリングするためのＤＣＩ、又は該ＰＵＳＣＨに対応する第２のＳＲＳを設定、トリガ、又はアクティブ化するためのダウンリンクシグナリングである。
【００１３】
１つの可能な実現方式では、該第２のＳＲＳは、該ＰＵＳＣＨの伝送パラメータを取得するためのＳＲＳであり、又は該第２のＳＲＳは、該ＰＵＳＣＨをスケジューリングするためのＤＣＩに含まれるＳＲＳリソース指示情報に示されるＳＲＳリソースにおいて伝送されるＳＲＳである。
【００１４】
１つの可能な実現方式では、該伝送パラメータは、使用される周波数領域リソース、レイヤー数、プリコーディング行列、変調符号化方式及び送信ビームのうちの少なくとも１つの情報を含む。
【００１５】
１つの可能な実現方式では、該ターゲットアップリンク信号がＳＲＳである場合、該第１情報は該ＳＲＳを設定、トリガ、又はアクティブ化するためのダウンリンクシグナリングである。
【００１６】
１つの可能な実現方式では、該方法は更に、該端末装置が該ネットワーク装置から送信された設定情報を受信し、該設定情報は、少なくとも１つのＣＳＩ−ＲＳリソースと少なくとも１セットの電力制御パラメータとの対応関係を示すことに用いられ、該少なくとも１つのＣＳＩ−ＲＳリソースは、該ＣＳＩ−ＲＳリソース指示情報に示されるＣＳＩ−ＲＳリソースを含み、該少なくとも１セットの電力制御パラメータのうちの各セットの電力制御パラメータは、少なくとも１つの電力制御パラメータの値を含むことを含み、該端末装置が該ＣＳＩ−ＲＳリソース指示情報に基づいて、該ターゲットアップリンク信号の電力制御パラメータを決定することは、該端末装置が該ＣＳＩ−ＲＳリソース指示情報及び該設定情報に基づいて、該電力制御パラメータを決定することを含む。
【００１７】
１つの可能な実現方式では、該方法は更に、該端末装置が該ネットワーク装置から送信された設定情報を受信し、該設定情報は、少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は、該ＣＳＩ−ＲＳリソース指示情報を含み、該少なくとも１セットの電力制御パラメータのうちの各セットの電力制御パラメータは、少なくとも１つの電力制御パラメータの値を含むことを含み、該端末装置が該ＣＳＩ−ＲＳリソース指示情報に基づいて、該ターゲットアップリンク信号の電力制御パラメータを決定することは、該端末装置が該ＣＳＩ−ＲＳリソース指示情報及び該設定情報に基づいて、該電力制御パラメータを決定することを含む。
【００１８】
１つの可能な実現方式では、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【００１９】
１つの可能な実現方式では、該開ループ電力制御パラメータは、ターゲット電力Ｐｏの値、パスロス重み係数ａの値、ターゲット電力Ｐｏのインデックス、又はパスロス重み係数ａのインデックスを含む。
【００２０】
１つの可能な実現方式では、該閉ループ電力制御パラメータは、閉ループ電力制御プロセスのインデックスを含む。
【００２１】
１つの可能な実現方式では、該端末装置がターゲットアップリンク信号に対応するＣＳＩ−ＲＳリソース指示情報を決定する前に、該方法は更に、該端末装置が該ネットワーク装置によって事前に設定された電力制御パラメータを採用して該ターゲットアップリンク信号の送信電力を決定することを含む。
【００２２】
第２態様では信号伝送の方法を提供し、該方法は、ネットワーク装置がターゲットアップリンク信号に対応するチャネル状態情報−参照信号（ＣＳＩ−ＲＳ）リソース指示情報を端末装置に送信し、該ＣＳＩ−ＲＳリソース指示情報は、該端末装置が該ターゲットアップリンク信号の電力制御パラメータを決定することに用いられることと、該ネットワーク装置が、該端末装置が該電力制御パラメータに基づいて送信した該ターゲットアップリンク信号を受信することと、を含む。
【００２３】
１つの可能な実現方式では、該ターゲットアップリンク信号は物理アップリンク共有チャネル（ＰＵＳＣＨ）、物理アップリンク制御チャネル（ＰＵＣＣＨ）、又は測定参照信号（ＳＲＳ）である。
【００２４】
１つの可能な実現方式では、該ターゲットアップリンク信号は、ノンコードブックに基づくプリコーディングの物理アップリンク共有チャネル（ＰＵＳＣＨ）であり、又はノンコードブックに基づくプリコーディングの物理アップリンク共有チャネル（ＰＵＳＣＨ）の伝送パラメータを取得するための測定参照信号（ＳＲＳ）である。
【００２５】
１つの可能な実現方式では、該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【００２６】
１つの可能な実現方式では、該第１のＳＲＳは、該ターゲットアップリンク信号の伝送パラメータを取得するためのＳＲＳであり、又は該第１のＳＲＳは、該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【００２７】
１つの可能な実現方式では、該ターゲットアップリンク信号がＰＵＳＣＨである場合、該ＣＳＩ−ＲＳリソース指示情報は、該ＰＵＳＣＨをスケジューリングするためのダウンリンク制御情報（ＤＣＩ）、又は該ＰＵＳＣＨに対応する第２のＳＲＳを設定、トリガ、又はアクティブ化するためのダウンリンクシグナリングにベアリングされる。
【００２８】
１つの可能な実現方式では、該第２のＳＲＳは、該ＰＵＳＣＨの伝送パラメータを取得するためのＳＲＳであり、又は該第２のＳＲＳは、該ＰＵＳＣＨをスケジューリングするためのＤＣＩに含まれるＳＲＳリソース指示情報に示されるＳＲＳリソースにおいて伝送されるＳＲＳである。
【００２９】
１つの可能な実現方式では、該伝送パラメータは、使用される周波数領域リソース、レイヤー数、プリコーディング行列、変調符号化方式及び送信ビームのうちの少なくとも１つの情報を含む。
【００３０】
１つの可能な実現方式では、該ターゲットアップリンク信号がＳＲＳである場合、該ＣＳＩ−ＲＳリソース指示情報は該ＳＲＳを設定、トリガ、又はアクティブ化するためのダウンリンクシグナリングにベアリングされる。
【００３１】
１つの可能な実現方式では、該方法は更に、該ネットワーク装置が該端末装置に設定情報を送信し、該設定情報は、該少なくとも１つのＣＳＩ−ＲＳリソースと少なくとも１セットの電力制御パラメータとの対応関係を示すことに用いられ、該少なくとも１つのＣＳＩ−ＲＳリソースは、該ＣＳＩ−ＲＳリソース指示情報に示されるＣＳＩ−ＲＳリソースを含み、該少なくとも１セットの電力制御パラメータのうちの各セットの電力制御パラメータは、少なくとも１つの電力制御パラメータの値を含むことを含む。
【００３２】
１つの可能な実現方式では、該方法は更に、該ネットワーク装置が該端末装置に設定情報を送信し、該設定情報は、少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は、該ＣＳＩ−ＲＳリソース指示情報を含み、該少なくとも１セットの電力制御パラメータのうちの各セットの電力制御パラメータは、少なくとも１つの電力制御パラメータの値を含むことを含む。
【００３３】
１つの可能な実現方式では、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【００３４】
１つの可能な実現方式では、該開ループ電力制御パラメータは、ターゲット電力Ｐｏの値、パスロス重み係数ａの値、ターゲット電力Ｐｏのインデックス、又はパスロス重み係数ａのインデックスを含む。
【００３５】
１つの可能な実現方式では、該閉ループ電力制御パラメータは、閉ループ電力制御プロセスのインデックスを含む。
【００３６】
第３態様では、上記の第１態様又は第１態様のいずれかの可能な実現方式における方法を実行することに用いられる端末装置を提供する。具体的に、該端末装置は、上記の第１態様又は第１態様のいずれかの可能な実現方式における方法を実行するためのユニットを備える。
【００３７】
第４態様では、上記の第２態様又は第２態様のいずれかの可能な実現方式における方法を実行することに用いられるネットワーク装置を提供する。具体的に、該ネットワーク装置は、上記の第２態様又は第２態様のいずれかの可能な実現方式における方法を実行するためのユニットを備える。
【００３８】
第５態様では端末装置を提供し、該端末装置はメモリ、プロセッサ、入力インタフェース及び出力インタフェースを備える。メモリ、プロセッサ、入力インタフェース及び出力インタフェースはバスシステムによって互いに接続される。該メモリは命令を記憶することに用いられ、該プロセッサは該メモリに記憶される、上記第１態様又は第１態様のいずれかの可能な実現方式における方法を実行するための命令を実行することに用いられる。
【００３９】
第６態様ではネットワーク装置を提供し、該ネットワーク装置はメモリ、プロセッサ、入力インタフェース及び出力インタフェースを備える。メモリ、プロセッサ、入力インタフェース及び出力インタフェースはバスシステムによって互いに接続される。該メモリは命令を記憶することに用いられ、該プロセッサは該メモリに記憶される、上記第２態様又は第２態様のいずれかの可能な実現方式における方法を実行するための命令を実行することに用いられる。
【００４０】
第７態様ではコンピュータ記憶媒体を提供し、該コンピュータ記憶媒体は、上記第１態様又は第１態様のいずれかの可能な実現方式における方法、又は上記第２態様又は第２態様のいずれかの可能な実現方式における方法を実行するためのコンピュータソフトウェア命令を記憶することに用いられ、該コンピュータソフトウェア命令には上記各態様を実行するために設計されたプログラムが含まれる。
【００４１】
第８態様では、命令を含むコンピュータプログラム製品を提供し、該コンピュータプログラム製品がコンピュータにおいて実行される時、コンピュータは上記第１態様又は第１態様のいずれか１つの選択可能な実現方式における方法、又は上記第２態様又は第２態様のいずれか１つの選択可能な実現方式における方法を実行する。
【００４２】
本願のこれらの態様又は他の態様は以下の実施例の説明においてより簡単明瞭になる。
【図面の簡単な説明】
【００４３】
【図１】図１は本願実施例の１つの応用シーンの模式図を示す。
【図２】図２は本願実施例の信号伝送の方法の模式的なブロック図を示す。
【図３】図３は本願実施例の信号伝送の方法の他の模式的なブロック図を示す。
【図４】図４は本願実施例の端末装置の模式的なブロック図を示す。
【図５】図５は本願実施例のネットワーク装置の模式的なブロック図を示す。
【図６】図６は本願実施例の端末装置の他の模式的なブロック図を示す。
【図７】図７は本願実施例のネットワーク装置の他の模式的なブロック図を示す。
【発明を実施するための形態】
【００４４】
以下では、本願実施例の図面を参照しながら、本願実施例における技術案を明確に完全に説明する。
【００４５】
理解されるように、本願実施例の技術案は各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ、Ｎｅｗ  Ｒａｄｉｏ）、又は将来の５Ｇシステム等に適用できる。
【００４６】
特に本願実施例の技術案は各種の非直交多元接続技術に基づく通信システム、例えば、スパースコード多元接続（ＳＣＭＡ、Ｓｐａｒｓｅ  Ｃｏｄｅ  Ｍｕｌｔｉｐｌｅ  Ａｃｃｅｓｓ）システム、低密度署名（ＬＤＳ、Ｌｏｗ  Ｄｅｎｓｉｔｙ  Ｓｉｇｎａｔｕｒｅ）システム等に適用できる。勿論、ＳＣＭＡシステム及びＬＤＳシステムは通信分野において他の名称に称されてもよい。更に、本願実施例の技術案は非直交多元接続技術が採用されたマルチキャリア伝送システム、例えば、非直交多元接続技術が採用された直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア（ＦＢＭＣ、Ｆｉｌｔｅｒ  Ｂａｎｋ  Ｍｕｌｔｉ−Ｃａｒｒｉｅｒ）、一般化周波数分割多重化（ＧＦＤＭ、Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルター処理された直交周波数分割多重化（Ｆ−ＯＦＤＭ、Ｆｉｌｔｅｒｅｄ−ＯＦＤＭ）システム等に適用できる。
【００４７】
本願実施例における端末装置とはユーザ装置（ＵＥ、Ｕｓｅｒ  Ｅｑｕｉｐｍｅｎｔ）、アクセス端末、加入者ユニット、加入者局、移動局、トラバーサー、遠隔局、遠隔端末、モバイルデバイス、ユーザ端末、端末、無線通信装置、ユーザエージェント又はユーザデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願実施例はそれを限定しない。
【００４８】
本願実施例におけるネットワーク装置は端末装置と通信するための装置であってよく、該ネットワーク装置はＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンでの無線制御装置であってもよく、又は、該ネットワーク装置は中継局、アクセスポイント、車載装置、ウェアラブルデバイス、及び将来の５Ｇネットワークにおけるネットワーク装置又は将来進化するＰＬＭＮネットワークにおけるネットワーク装置等であってもよく、本願実施例はそれを限定しない。
【００４９】
図１は本願実施例の１つの応用シーンの模式図である。図１における通信システムは端末装置１０とネットワーク装置２０を備えてもよい。ネットワーク装置２０は端末装置１０に通信サービスを提供して、コアネットワークにアクセスすることに用いられ、端末装置１０はネットワーク装置２０から送信された同期信号、放送信号等を検索することによってネットワークにアクセスして、ネットワークとの通信を行う。図１に示す矢印は、端末装置１０とネットワーク装置２０との間のセルラーリンクで行われるアップリンク／ダウンリンク伝送を表すことができる。
【００５０】
アップリンク信号の場合、端末の電力制御は節電とセル間干渉の抑制という２つの面において重要な意義を有し、従って、アップリンク電力制御はＬＴＥの重点的に注意される部分である。セル内のアップリンク電力制御はそれぞれ物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、及び測定参照信号（ＳＲＳ、Ｓｏｕｎｄｉｎｇ  Ｒｅｆｅｒｅｎｃｅ  Ｓｉｇｎａｌ）の電力の制御を含む。
【００５１】
ＮＲには、コードブックに基づく伝送方式とノンコードブックに基づく伝送方式という２つのアップリンク伝送方式が導入されている。コードブックに基づく伝送方式の場合、伝送に採用されるアップリンクビームはスケジューリング情報におけるビーム指示情報を介して端末に通知するものである。端末が異なる送信ビームを採用する時、異なる電力制御パラメータを採用する必要がある。前記ビーム指示情報はアップリンクの電力制御パラメータに関連し、ビーム指示情報によって対応の電力制御パラメータを決定することができる。該関連関係はＲＲＣシグナリングを介して事前に端末に通知される。
【００５２】
ノンコードブックのアップリンク伝送の場合、ネットワーク側は１つの対応するＣＳＩ−ＲＳリソースをアップリンクＳＲＳ又はＰＵＳＣＨに設定してもよい。端末は前記ＣＳＩ−ＲＳリソースに基づいてダウンリンクチャネル情報を取得し、更に該ダウンリンクチャネル情報及びチャネルレシプロシティに基づいてアップリンクチャネル情報を取得し、該アップリンクチャネル情報に基づいて前記アップリンクＳＲＳ又はＰＵＳＣＨのプリコーディング行列を計算する。伝送に採用されるアップリンクビームは、端末によって、アップリンクビームとダウンリンクビームとの対応性によって取得されることもでき、即ち、端末はネットワーク側のビーム指示を必要とせず、ダウンリンク信号の受信ビームによってアップリンク信号の送信ビームを取得できる。この時、端末がどのように異なる送信ビームのために対応の電力制御パラメータを決定するかは課題となる。
【００５３】
図２は本願実施例の信号伝送の方法１００の模式的なブロック図を示す。図２に示すように、該方法１００は以下のＳ１１０〜Ｓ１４０の一部又は全部の内容を含む。
【００５４】
Ｓ１１０、端末装置はターゲットアップリンク信号に対応するチャネル状態情報−参照信号（ＣＳＩ−ＲＳ）リソース指示情報を決定する。
【００５５】
Ｓ１２０、該端末装置は該ＣＳＩ−ＲＳリソース指示情報に基づいて、該ターゲットアップリンク信号の電力制御パラメータを決定する。
【００５６】
Ｓ１３０、該端末装置は該電力制御パラメータに基づいて、該ターゲットアップリンク信号の送信電力を決定する。
【００５７】
Ｓ１４０、該端末装置は該送信電力に基づいて、該ターゲットアップリンク信号をネットワーク装置に送信する。
【００５８】
具体的に、ネットワーク装置は１つ又は複数のチャネル状態情報参照信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）リソースを事前に設定し又はプロトコルによって約束してもよく、異なるＣＳＩ−ＲＳリソースにおいて送信するＣＳＩ−ＲＳは異なるビームを採用してもよく、そしてネットワーク装置は該１つ又は複数のＣＳＩ−ＲＳリソースと電力制御パラメータとの対応関係、又は１つ又は複数のＣＳＩ−ＲＳリソース指示情報と電力制御パラメータとの対応関係を事前に設定し又はプロトコルによって約束してもよく、すなわち、各ＣＳＩ−ＲＳリソース又は各ＣＳＩ−ＲＳリソース指示情報は１セットの独立した電力制御パラメータに対応してもよい。ネットワーク装置はどのＣＳＩ−ＲＳリソース又はＣＳＩ−ＲＳリソース指示情報に対応する電力制御パラメータを使用してターゲットアップリンク信号の伝送を行うかを端末装置に指示してもよく、端末装置はネットワーク装置に指示された電力制御パラメータに基づいて一定の調整を行い、ターゲットアップリンク信号の電力制御パラメータを決定してもよく、又はネットワーク装置に指示された電力制御パラメータを直接にターゲットアップリンク信号の電力制御パラメータとして決定してもよい。端末装置は決定された電力制御パラメータに基づいて更にターゲットアップリンク信号の送信電力を決定し、これにより、決定された送信電力に基づいてネットワーク装置にターゲットアップリンク信号を送信してもよい。
【００５９】
従って、本願実施例の信号伝送の方法は、ネットワーク装置から送信されたＣＳＩ−ＲＳリソース指示情報に対応する電力制御パラメータを参照してターゲットアップリンク信号の送信電力を決定することで、アップリンク電力制御の精度向上に利し、それによって、システム伝送性能を高めることができる。
【００６０】
ターゲットアップリンク信号はＰＵＳＣＨ、ＰＵＣＣＨ又はＳＲＳ等であってもよく、本願実施例はターゲットアップリンク信号のタイプを限定せず、アップリンク信号でさえあれば、いずれも本願実施例の技術案で送信電力を決定できる。
【００６１】
更に、該ターゲットアップリンク信号はノンコードブックに基づくプリコーディングのＰＵＳＣＨであり、又はノンコードブックに基づくプリコーディングのＰＵＳＣＨの伝送パラメータを取得するための測定参照信号（ＳＲＳ）である。すなわち、該ＰＵＳＣＨの伝送はノンコードブックに基づく伝送方式である。例えば、端末装置がネットワーク装置から送信されたＣＳＩ−ＲＳリソース指示情報を受信すると、端末装置は該ＣＳＩ−ＲＳリソース指示情報に示されるＣＳＩ−ＲＳリソースに基づいてダウンリンクチャネル情報を取得し、更に該ダウンリンクチャネル情報及びチャネルレシプロシティに基づいてアップリンクチャネル情報を取得し、そして該アップリンクチャネル情報に基づいて該ＰＵＳＣＨのプリコーディング情報を計算してもよい。端末装置はビームの対応性によって該ＰＵＳＣＨの送信ビームを取得してもよく、すなわち、端末装置がＣＳＩ−ＲＳを受信する受信ビームを採用して、ＰＵＳＣＨを送信する送信ビームを取得してもよい。該ＳＲＳの伝送はノンコードブックに基づく伝送方式であってもよい。該ターゲットアップリンク信号は更に上記ＰＵＳＣＨの伝送パラメータを取得するためのＳＲＳであってもよい。
【００６２】
選択肢として、本願実施例において該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【００６３】
前文では既に、該ＣＳＩ−ＲＳリソース指示情報に示されるＣＳＩ−ＲＳリソースがどのようにＰＵＳＣＨのリコーディング行列又は送信ビームを取得するかについて説明したが、該方法は同様に如何なるアップリンク信号、例えば、前述のＰＵＣＣＨ又はＳＲＳにも適する。
【００６４】
更に、該第１のＳＲＳは該ターゲットアップリンク信号の伝送パラメータを取得するためのＳＲＳであり、又は該第１のＳＲＳは該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【００６５】
選択肢として、本願実施例において、上記各種アップリンク信号の伝送パラメータはいずれも第１のＳＲＳによって取得してもよい。該伝送パラメータは、使用される周波数領域リソース、レイヤー数、プリコーディング行列、変調符号化方式及び送信ビームのうちの少なくとも１つの情報を含んでもよい。すなわち、端末装置はＣＳＩ−ＲＳリソース指示情報を受信した後、それに示されるＣＳＩ−ＲＳリソース及びチャネルレシプロシティに基づいて、第１のＳＲＳのプリコーディング行列又は送信ビームを決定してもよい。端末が該プリコーディング行列又は送信ビームに基づいて該第１のＳＲＳを送信した後、ネットワーク側は該第１のＳＲＳに基づいてターゲットアップリンク信号の伝送パラメータを決定し、そして決定した伝送パラメータを端末に示し、又は決定した伝送パラメータに基づいて端末をスケジューリングしてもよい。前記第１のＳＲＳは前記ターゲットアップリンク信号の伝送パラメータを取得することに用いられ、それは前記第１のＳＲＳのアンテナポート数が前記ターゲットアップリンク信号の伝送ポート数に等しいことによって実現されてもよい。
【００６６】
また、ターゲットアップリンク信号とＳＲＳとは関連するため、ターゲットアップリンク信号をスケジューリングするダウンリンク制御情報（ＤＣＩ、Ｄｏｗｎｌｉｎｋ  Ｃｏｎｔｒｏｌ  Ｉｎｆｏｒｍａｔｉｏｎ）においてＳＲＳリソースを示すＳＲＳリソース指示情報を含むことによって具現されてもよい。一般的に、前記ＤＣＩに含まれるＳＲＳリソース指示情報は、前記ターゲットアップリンク信号と関連するＳＲＳリソースを示すことに用いられるものであり、該リソースにおいて伝送されるＳＲＳは第１のＳＲＳである。
【００６７】
本願実施例において、ターゲットアップリンク信号に対応するＣＳＩ−ＲＳリソース指示情報における「対応」とは、ある指示方式が特定のアップリンク信号に属することを、ネットワーク装置と端末装置が事前に約束し又はネットワーク装置が事前に設定することを指してもよく、例えば、ＰＵＳＣＨをスケジューリングするためのダウンリンク制御情報（ＤＣＩ、Ｄｏｗｎｌｉｎｋ  Ｃｏｎｔｒｏｌ  Ｉｎｆｏｒｍａｔｉｏｎ）におけるある特定領域が該ＰＵＳＣＨに対応するＣＳＩ−ＲＳリソース指示情報であると約束してもよい。
【００６８】
また、当業者が理解できるように、ＣＳＩ−ＲＳリソース指示情報はＣＳＩ−ＲＳリソースを示すための指示情報であってもよい。例えば、ネットワーク装置と端末装置は４種のＣＳＩ−ＲＳリソースを事前に約束し、そして２つのｂｉｔを採用して該４つのＣＳＩ−ＲＳリソースを示すことを事前に約束し、具体的に、ＣＳＩ−ＲＳリソース１に対応する指示情報は００であり、ＣＳＩ−ＲＳリソース２に対応する指示情報は０１であり、ＣＳＩ−ＲＳリソース３に対応する指示情報は１０であり、ＣＳＩ−ＲＳリソース４に対応する指示情報は１１である。
【００６９】
理解されるように、本願実施例における電力制御パラメータは、送信電力の計算式におけるいずれか１つのパラメータ又は複数のパラメータの任意の組み合わせであってもよい。例えば、送信電力の計算式は一般的に、端末装置の最大許容送信電力、電力オフセット、アップリンク信号のサブフレームでの伝送帯域幅、ターゲット受信電力、パスロス補償係数、閉ループ電力調整量及びパスロス等を含む。すなわち、本願実施例において、各ＣＳＩ−ＲＳリソース又は各ＣＳＩ−ＲＳリソース指示情報に対応する１セットの電力制御パラメータは少なくとも１つのパラメータの値を含む。
【００７０】
以下ではそれぞれターゲットアップリンク信号がＰＵＳＣＨとＳＲＳである場合を例として、本願実施例におけるＣＳＩ−ＲＳのベアリング方式を詳しく説明する。
【００７１】
選択肢として、本願実施例において、該方法は更に、該端末装置が該ネットワーク装置から送信された第１情報を受信し、該第１情報は該ＣＳＩ−ＲＳリソース指示情報を含むことを含み、該端末装置がターゲットアップリンク信号に対応するＣＳＩ−ＲＳリソース指示情報を決定することは、該端末装置が該第１情報から該ＣＳＩ−ＲＳリソース指示情報を決定することを含む。
【００７２】
理解されるように、該第１情報は、例えば、無線リソース制御（ＲＲＣ、Ｒａｄｉｏ  Ｒｅｓｏｕｒｃｅ  Ｃｏｎｔｒｏｌ）シグナリング、メディアアクセス制御（ＭＡＣ、Ｍｅｄｉａ  Ａｃｃｅｓｓ  Ｃｏｎｔｒｏｌ）シグナリング等の上位層シグナリング、ＤＣＩシグナリング、システム情報等であってもよい。
【００７３】
実施例１
前記ターゲットアップリンク信号がＰＵＳＣＨであり、且つ前記ＣＳＩ−ＲＳリソース指示情報はネットワーク装置が前記ＰＵＳＣＨに設定したＣＳＩ−ＲＳリソース指示情報である場合、前記ＣＳＩ−ＲＳリソース指示情報は該ＰＵＳＣＨをスケジューリングするＤＣＩによってベアリングされてもよい。
【００７４】
実施例２
該ターゲットアップリンク信号がＰＵＳＣＨであり、且つ該ＣＳＩ−ＲＳリソース指示情報はネットワーク装置が該ＰＵＳＣＨに対応するＳＲＳに設定したＣＳＩ−ＲＳリソース指示情報である場合、該ＣＳＩ−ＲＳリソース指示情報はネットワーク装置が該ＳＲＳ伝送を設定、トリガ、又はアクティブ化するダウンリンクシグナリングによってベアリングされてもよい。具体的に、該ＳＲＳが周期的なＳＲＳであれば、該ＳＲＳ伝送を設定するＲＲＣシグナリングによって該ＣＳＩ−ＲＳリソース指示情報を含んでもよい。該ＳＲＳが非周期的なＳＲＳであれば、該ＳＲＳ伝送をトリガするＤＣＩによって該ＣＳＩ−ＲＳリソース指示情報を含んでもよい。この時、該ＤＣＩの伝送リソースと該ＣＳＩ−ＲＳリソース指示情報に示されるＣＳＩ−ＲＳリソースは同一のタイムスロットに含まれてもよい。該ＳＲＳが準継続的なＳＲＳであれば、該ＳＲＳ伝送をアクティブ化するＭＡＣシグナリングによって、又はＲＲＣシグナリングによって、該ＣＳＩ−ＲＳリソース指示情報を含んでもよい。
【００７５】
実施例３
該ターゲットアップリンク信号がＳＲＳである場合、該ＣＳＩ−ＲＳリソース指示情報は、ネットワーク装置が該ＳＲＳ伝送を設定、トリガ、又はアクティブ化するダウンリンクシグナリングによってベアリングされてもよい。具体的に、該ＳＲＳが周期的なＳＲＳであれば、該ＳＲＳ伝送を設定するＲＲＣシグナリングによって該ＣＳＩ−ＲＳリソース指示情報を含んでもよい。該ＳＲＳが非周期的なＳＲＳであれば、該ＳＲＳ伝送をトリガするＤＣＩによって該ＣＳＩ−ＲＳリソース指示情報を含んでもよい。この時、該ＤＣＩの伝送リソースと該ＣＳＩ−ＲＳリソース指示情報に示されるＣＳＩ−ＲＳリソースは同一のタイムスロットに含まれてもよい。該ＳＲＳが準継続的なＳＲＳであれば、該ＳＲＳ伝送をアクティブ化するＭＡＣシグナリングによって、又はＲＲＣシグナリングによって、該ＣＳＩ−ＲＳリソース指示情報を含んでもよい。
【００７６】
選択肢として、本願実施例において、該方法は更に、該端末装置が該ネットワーク装置から送信された設定情報を受信し、該設定情報は少なくとも１つのＣＳＩ−ＲＳリソースと少なくとも１セットの電力制御パラメータとの対応関係を示すことに用いられ、該少なくとも１つのＣＳＩ−ＲＳリソースは該ＣＳＩ−ＲＳリソース指示情報に示されるＣＳＩ−ＲＳリソースを含み、該少なくとも１セットの電力制御パラメータのうちの各セットの電力制御パラメータは少なくとも１つの電力制御パラメータの値を含むことを含み、該端末装置が該ＣＳＩ−ＲＳリソース指示情報に基づいて、該ターゲットアップリンク信号の電力制御パラメータを決定することは、該端末装置が該ＣＳＩ−ＲＳリソース指示情報及び該設定情報に基づいて、該電力制御パラメータを決定することを含む。
【００７７】
選択肢として、本願実施例において、該方法は更に、該端末装置が該ネットワーク装置から送信された設定情報を受信し、該設定情報は少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は該ＣＳＩ−ＲＳリソース指示情報を含み、該少なくとも１セットの電力制御パラメータのうちの各セットの電力制御パラメータは少なくとも１つの電力制御パラメータの値を含むことを含み、該端末装置が該ＣＳＩ−ＲＳリソース指示情報に基づいて、該ターゲットアップリンク信号の電力制御パラメータを決定することは、該端末装置が該ＣＳＩ−ＲＳリソース指示情報及び該設定情報に基づいて、該電力制御パラメータを決定することを含む。
【００７８】
具体的に、ネットワーク側は前記少なくとも１つのＣＳＩ−ＲＳリソースのうちの各リソース、又は前記少なくとも１つのＣＳＩ−ＲＳリソース指示情報のうちの各情報に対応する１セットの電力制御パラメータの値を事前に設定し、それによって、端末は現在示されるＣＳＩ−ＲＳリソース又は現在のＣＳＩ−ＲＳリソース指示情報に基づいて、対応する１セットの電力制御パラメータの値を決定することができる。ここで、１セットの電力制御パラメータは１つのみの電力制御パラメータ、例えば、開ループ電力制御パラメータ又はパスロス値を含んでもよく、複数のパラメータ、例えば、開ループ電力制御パラメータ及びパスロス値を含んでもよい。
【００７９】
例えば、ネットワーク装置と端末装置は４種のＣＳＩ−ＲＳリソースを事前に約束し、そして該４種のＣＳＩ−ＲＳリソースはそれぞれ独立した電力制御パラメータを有し、そうすると、ネットワーク装置と端末装置は更に２つのｂｉｔを採用して該４つのＣＳＩ−ＲＳリソースを示すことを事前に約束してもよく、具体的に、ＣＳＩ−ＲＳリソース１に対応する指示情報は００であり、ＣＳＩ−ＲＳリソース２に対応する指示情報は０１であり、ＣＳＩ−ＲＳリソース３に対応する指示情報は１０であり、ＣＳＩ−ＲＳリソース４に対応する指示情報は１１である。すなわち、ネットワーク装置は００が電力制御パラメータセット１に対応し、０１が電力制御パラメータセット２に対応し、１０が電力制御パラメータセット３に対応し、１１が電力制御パラメータセット４に対応するように設定してもよい。ネットワーク装置はＣＳＩ−ＲＳリソース１が電力制御パラメータセット１に対応し、ＣＳＩ−ＲＳリソース２が電力制御パラメータセット２に対応し、ＣＳＩ−ＲＳリソース３が電力制御パラメータセット３に対応し、ＣＳＩ−ＲＳリソース４が電力制御パラメータセット４に対応するように設定してもよい。電力制御パラメータセット１〜４は同一セットの電力制御パラメータの異なる値の場合に対応する。
【００８０】
ＣＳＩ−ＲＳリソースとＣＳＩ−ＲＳリソース指示情報のうちの少なくとも１つと電力制御パラメータとの間に対応関係がある。すなわち、端末装置はＣＳＩ−ＲＳリソース指示情報を受信した後、該指示情報の値に基づいて、それに対応する電力制御パラメータを決定し、端末装置はＣＳＩ−ＲＳリソース指示情報を受信した後、まず指示情報に基づいて該指示情報に示されるＣＳＩ−ＲＳリソースを決定し、更に該ＣＳＩ−ＲＳリソースに基づいて、それに対応する電力制御パラメータを決定してもよく、本願はそれを限定しない。
【００８１】
選択肢として、本願実施例において、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【００８２】
該送信電力を計算するためのパスロス値を測定するためのダウンリンク信号の情報はパスロス参照関連情報と見なされてもよい。すなわち、ターゲットアップリンク信号のパスロスを推定することに用いられるダウンリンク信号のサブセットであってもよい。例えば、ＰＵＳＣＨについてのパスロス参照関連情報とは、ダウンリンクパイロット信号の設定セットのうちのどのダウンリンクパイロット信号がＰＵＳＣＨパスロスの推定のためにパスロスの測定に使用されるかの情報を指してもよい。該ダウンリンク信号はダウンリンク同期信号ブロック（ＳＳＢ、Ｓｙｎｃｈｒｏｎｏｕｓ  ｓｉｇｎａｌ  Ｂｌｏｃｋ）、ＣＳＩ−ＲＳ又は物理ブロードキャストチャネル（ＰＢＣＨ、Ｐｈｙｓｉｃａｌ  Ｂｒｏａｄｃａｓｔ  Ｃｈａｎｎｅｌ）、復調基準信号（ＤＭＲＳ、Ｄｅｍｏｄｕｌａｔｉｏｎ  Ｒｅｆｅｒｅｎｃｅ  Ｓｉｇｎａｌ）であってもよい。例えば、該端末は該ＣＳＩ−ＲＳリソース指示情報に示されるＣＳＩ−ＲＳリソースに基づいてダウンリンクパスロス測定を行って、該パスロス値を取得する。また例えば、該端末は該ＣＳＩ−ＲＳリソース指示情報に基づいて、対応する１つのダウンリンク信号のインデックスｋを決定し、該インデックスｋに示されるダウンリンク信号に基づいてダウンリンクパスロス測定を行って、該パスロス値を取得する。ここで、該ＣＳＩ−ＲＳリソース指示情報とダウンリンク信号のインデックスｋとの対応関係は、ネットワーク側によって上位層シグナリングを介して事前に設定される。
【００８３】
選択肢として、該開ループ電力制御パラメータは、ターゲット電力Ｐｏの値、パスロス重み係数ａの値、ターゲット電力Ｐｏのインデックスｊ、又はパスロス重み係数ａのインデックスｐを含む。インデックスｊは上位層シグナリングの事前に設定した複数のターゲット電力値から１つのターゲット電力を示し、インデックスｐは上位層シグナリングの事前に設定した複数のパスロス重み係数値から１つのパスロス重み係数を示す。ここで、ターゲット電力Ｐｏの値、パスロス重み係数ａの値、ターゲット電力Ｐｏのインデックスｊ及びパスロス重み係数のインデックスｐとＣＳＩ−ＲＳリソース指示情報との対応関係は、上位層シグナリングによって事前に設定されてもよい。
【００８４】
選択肢として、該閉ループ電力制御パラメータは、閉ループ電力制御プロセスのインデックス１を含む。インデックス１は事前に定義された少なくとも１つの電力制御プロセスから１つの電力制御プロセスを示し、インデックス１とＣＳＩ−ＲＳリソース指示情報との対応関係は、上位層シグナリングによって事前に設定されてもよい。
【００８５】
選択肢として、本願実施例において、該端末装置がターゲットアップリンク信号に対応するＣＳＩ−ＲＳリソース指示情報を決定する前に、該方法は更に、該端末装置が該ネットワーク装置によって事前に設定された電力制御パラメータを採用して該ターゲットアップリンク信号の送信電力を決定することを含む。
【００８６】
具体的に、端末がネットワーク側から送信されたＣＳＩ−ＲＳリソース指示情報を受信していない場合、前記ＣＳＩ−ＲＳリソース指示情報を受信するまで、ネットワーク側によって事前に前記ターゲットアップリンク信号に設定された電力制御パラメータを採用する。具体的に、該ＣＳＩ−ＲＳリソース指示情報を受信した後、ネットワーク側の事前に設定した値に代わって、該ＣＳＩ−ＲＳリソース指示情報に対応する電力制御パラメータを採用する。
【００８７】
図３は本願実施例の信号伝送の方法２００の模式的なブロック図を示す。図３に示すように、該方法２００は以下のＳ２１０〜Ｓ２２０の一部又は全部の内容を含む。
【００８８】
Ｓ２１０、ネットワーク装置はターゲットアップリンク信号に対応するチャネル状態情報−参照信号（ＣＳＩ−ＲＳ）リソース指示情報を端末装置に送信し、該ＣＳＩ−ＲＳリソース指示情報は、該端末装置が該ターゲットアップリンク信号の電力制御パラメータを決定することに用いられる。
【００８９】
Ｓ２２０、該ネットワーク装置は、該端末装置が該電力制御パラメータに基づいて送信した該ターゲットアップリンク信号を受信する。
【００９０】
従って、本願実施例の信号伝送の方法は、ネットワーク装置から送信されたＣＳＩ−ＲＳリソース指示情報に対応する電力制御パラメータを参照してターゲットアップリンク信号の送信電力を決定することで、アップリンク電力制御の精度向上に利し、それによって、システム伝送性能を高めることができる。
【００９１】
選択肢として、本願実施例において、該ターゲットアップリンク信号は物理アップリンク共有チャネル（ＰＵＳＣＨ）、物理アップリンク制御チャネル（ＰＵＣＣＨ）、又は測定参照信号（ＳＲＳ）である。
【００９２】
選択肢として、本願実施例において、該ターゲットアップリンク信号は、ノンコードブックに基づくプリコーディングの物理アップリンク共有チャネル（ＰＵＳＣＨ）であり、又はノンコードブックに基づくプリコーディングの物理アップリンク共有チャネル（ＰＵＳＣＨ）の伝送パラメータを取得するための測定参照信号（ＳＲＳ）である。
【００９３】
選択肢として、本願実施例において、該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【００９４】
選択肢として、本願実施例において、該第１のＳＲＳは該ターゲットアップリンク信号の伝送パラメータを取得するためのＳＲＳであり、又は該第１のＳＲＳは該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【００９５】
選択肢として、本願実施例において、該ターゲットアップリンク信号がＰＵＳＣＨである場合、該ＣＳＩ−ＲＳリソース指示情報は、該ＰＵＳＣＨをスケジューリングするためのダウンリンク制御情報（ＤＣＩ）、又は該ＰＵＳＣＨに対応する第２のＳＲＳを設定、トリガ、又はアクティブ化するためのダウンリンクシグナリングにベアリングされる。
【００９６】
選択肢として、本願実施例において、該第２のＳＲＳは該ＰＵＳＣＨの伝送パラメータを取得するためのＳＲＳであり、又は該第２のＳＲＳは該ＰＵＳＣＨをスケジューリングするためのＤＣＩに含まれるＳＲＳリソース指示情報に示されるＳＲＳリソースにおいて伝送されるＳＲＳである。
【００９７】
選択肢として、本願実施例において、該伝送パラメータは、使用される周波数領域リソース、レイヤー数、プリコーディング行列、変調符号化方式及び送信ビームのうちの少なくとも１つの情報を含む。
【００９８】
選択肢として、本願実施例において、該ターゲットアップリンク信号がＳＲＳである場合、該ＣＳＩ−ＲＳリソース指示情報は該ＳＲＳを設定、トリガ、又はアクティブ化するためのダウンリンクシグナリングにベアリングされる。
【００９９】
選択肢として、本願実施例において、該方法は更に、該ネットワーク装置が該端末装置に設定情報を送信し、該設定情報は該少なくとも１つのＣＳＩ−ＲＳリソースと少なくとも１セットの電力制御パラメータとの対応関係を示すことに用いられ、該少なくとも１つのＣＳＩ−ＲＳリソースは該ＣＳＩ−ＲＳリソース指示情報に示されるＣＳＩ−ＲＳリソースを含み、該少なくとも１セットの電力制御パラメータのうちの各セットの電力制御パラメータは少なくとも１つの電力制御パラメータの値を含むことを含む。
【０１００】
選択肢として、本願実施例において、該方法は更に、該ネットワーク装置が該端末装置に設定情報を送信し、該設定情報は少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は該ＣＳＩ−ＲＳリソース指示情報を含み、該少なくとも１セットの電力制御パラメータのうちの各セットの電力制御パラメータは少なくとも１つの電力制御パラメータの値を含むことを含む。
【０１０１】
選択肢として、本願実施例において、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【０１０２】
選択肢として、本願実施例において、該開ループ電力制御パラメータは、ターゲット電力Ｐｏの値、パスロス重み係数ａの値、ターゲット電力Ｐｏのインデックス、又はパスロス重み係数ａのインデックスを含む。
【０１０３】
選択肢として、本願実施例において、該閉ループ電力制御パラメータは、閉ループ電力制御プロセスのインデックスを含む。
【０１０４】
理解されるように、本明細書における「システム」と「ネットワーク」という用語は、本明細書においてしばしば交換可能に使用される。本明細書における「及び／又は」という用語は、関連するオブジェクトの関連関係を説明するものに過ぎず、３つの関係が存在し得ることを表し、例えば、Ａ及び／又はＢという場合、Ａが単独に存在すること、ＡとＢが同時に存在すること、Ｂが単独に存在することの３つの状況を表すことができる。また、本明細書における「／」という文字は、一般的に前後の関連オブジェクトが「又は」の関係であることを表す。
【０１０５】
理解されるように、ネットワーク装置について説明されるネットワーク装置と端末装置との間のインタラクション及び関連特性、機能等は、端末装置の関連特性、機能に対応する。そして関連内容は上記の方法１００において既に詳しく説明され、簡潔のために、ここでは繰り返して説明しない。
【０１０６】
また理解されるように、本願の様々な実施例において、上記各プロセスの番号は実行順序の後先を意味するものではなく、各プロセスの実行順序はその機能と内的論理によって決定されるべきであり、本願実施例の実施プロセスに対して何らの限定となるべきではない。
【０１０７】
以上では本願実施例の信号伝送の方法を詳しく説明したが、以下では図４〜図７を参照しながら、本願実施例による信号伝送の装置を説明する。方法実施例で説明した技術的特徴は以下の装置実施例に適用する。
【０１０８】
図４は本願実施例の端末装置３００の模式的なブロック図を示す。図４に示すように、該端末装置３００は、
ターゲットアップリンク信号に対応するチャネル状態情報−参照信号（ＣＳＩ−ＲＳ）リソース指示情報を決定することに用いられる第１決定ユニット３１０と、
該ＣＳＩ−ＲＳリソース指示情報に基づいて該ターゲットアップリンク信号の電力制御パラメータを決定することに用いられる第２決定ユニット３２０と、
該電力制御パラメータに基づいて該ターゲットアップリンク信号の送信電力を決定することに用いられる第３決定ユニット３３０と、
該送信電力に基づいて該ターゲットアップリンク信号をネットワーク装置に送信することに用いられる送信ユニット３４０と、を備える。
【０１０９】
従って、本願実施例の端末装置は、電力制御の精度向上に利し、それによって、システム伝送性能を高める。
【０１１０】
選択肢として、本願実施例において、該ターゲットアップリンク信号は物理アップリンク共有チャネル（ＰＵＳＣＨ）、物理アップリンク制御チャネル（ＰＵＣＣＨ）、又は測定参照信号（ＳＲＳ）である。
【０１１１】
選択肢として、本願実施例において、該ターゲットアップリンク信号は、ノンコードブックに基づくプリコーディングのＰＵＳＣＨであり、又はノンコードブックに基づくプリコーディングのＰＵＳＣＨの伝送パラメータを取得するための測定参照信号（ＳＲＳ）である。
【０１１２】
選択肢として、本願実施例において該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【０１１３】
選択肢として、本願実施例において、該第１のＳＲＳは該ターゲットアップリンク信号の伝送パラメータを取得するためのＳＲＳであり、又は該第１のＳＲＳは該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【０１１４】
選択肢として、本願実施例において、該端末装置は更に、該ネットワーク装置から送信された第１情報を受信することに用いられ、該第１情報が該ＣＳＩ−ＲＳリソース指示情報を含む第１受信ユニットを備え、該第１決定ユニットは具体的に、該第１情報から該ＣＳＩ−ＲＳリソース指示情報を決定することに用いられる。
【０１１５】
選択肢として、本願実施例において、該ターゲットアップリンク信号がＰＵＳＣＨである場合、該第１情報は該ＰＵＳＣＨをスケジューリングするためのＤＣＩ、又は該ＰＵＳＣＨに対応する第２のＳＲＳを設定、トリガ、又はアクティブ化するためのダウンリンクシグナリングである。
【０１１６】
選択肢として、本願実施例において、該第２のＳＲＳは該ＰＵＳＣＨの伝送パラメータを取得するためのＳＲＳであり、又は該第２のＳＲＳは該ＰＵＳＣＨをスケジューリングするためのＤＣＩに含まれるＳＲＳリソース指示情報に示されるＳＲＳリソースにおいて伝送されるＳＲＳである。
【０１１７】
選択肢として、本願実施例において、該伝送パラメータは、使用される周波数領域リソース、レイヤー数、プリコーディング行列、変調符号化方式及び送信ビームのうちの少なくとも１つの情報を含む。
【０１１８】
選択肢として、本願実施例において、該ターゲットアップリンク信号がＳＲＳである場合、該第１情報は該ＳＲＳを設定、トリガ、又はアクティブ化するためのダウンリンクシグナリングである。
【０１１９】
選択肢として、本願実施例において、該端末装置は更に、該ネットワーク装置から送信された設定情報を受信することに用いられ、該設定情報は少なくとも１つのＣＳＩ−ＲＳリソースと少なくとも１セットの電力制御パラメータとの対応関係を示すことに用いられ、該少なくとも１つのＣＳＩ−ＲＳリソースは該ＣＳＩ−ＲＳリソース指示情報に示されるＣＳＩ−ＲＳリソースを含み、該少なくとも１セットの電力制御パラメータのうちの各セットの電力制御パラメータは少なくとも１つの電力制御パラメータの値を含む第２受信ユニットを備え、該第２決定ユニットは具体的に、該ＣＳＩ−ＲＳリソース指示情報及び該設定情報に基づいて、該電力制御パラメータを決定することに用いられる。
【０１２０】
選択肢として、本願実施例において、該端末装置は更に、該ネットワーク装置から送信された設定情報を受信することに用いられ、該設定情報は少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は該ＣＳＩ−ＲＳリソース指示情報を含み、該少なくとも１セットの電力制御パラメータのうちの各セットの電力制御パラメータは少なくとも１つの電力制御パラメータの値を含む第２受信ユニットを備え、該第２決定ユニットは具体的に、該ＣＳＩ−ＲＳリソース指示情報及び該設定情報に基づいて、該電力制御パラメータを決定することに用いられる。
【０１２１】
選択肢として、本願実施例において、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【０１２２】
選択肢として、本願実施例において、該開ループ電力制御パラメータは、ターゲット電力Ｐｏの値、パスロス重み係数ａの値、ターゲット電力Ｐｏのインデックス、又はパスロス重み係数ａのインデックスを含む。
【０１２３】
選択肢として、本願実施例において、該閉ループ電力制御パラメータは、閉ループ電力制御プロセスのインデックスを含む。
【０１２４】
選択肢として、本願実施例において、該端末装置がターゲットアップリンク信号に対応するＣＳＩ−ＲＳリソース指示情報を決定する前に、該端末装置は更に、該第１決定ユニットがターゲットアップリンク信号に対応するＣＳＩ−ＲＳリソース指示情報を決定する前に、該ネットワーク装置によって事前に設定された電力制御パラメータを採用して該ターゲットアップリンク信号の送信電力を決定することに用いられる第４決定ユニットを備える。
【０１２５】
理解されるように、本願実施例の端末装置３００は、本願の方法実施例における端末装置に対応することができ、そして端末装置３００における各ユニットの上記及び他の動作及び／又は機能は、それぞれ図２の方法における端末装置の相応のフローを実現するためのものであり、簡潔のために、ここでは繰り返して説明しない。
【０１２６】
図５は本願実施例のネットワーク装置４００の模式的なブロック図を示す。図５に示すように、該ネットワーク装置４００は、
ターゲットアップリンク信号に対応するチャネル状態情報−参照信号（ＣＳＩ−ＲＳ）リソース指示情報を端末装置に送信することに用いられ、該ＣＳＩ−ＲＳリソース指示情報は該端末装置が該ターゲットアップリンク信号の電力制御パラメータを決定することに用いられる第１送信ユニット４１０と、
該端末装置が該電力制御パラメータに基づいて送信した該ターゲットアップリンク信号を受信することに用いられる受信ユニット４２０と、を備える。
【０１２７】
従って、本願実施例のネットワーク装置は、電力制御の精度向上に利し、それによって、システム伝送性能を高める。
【０１２８】
選択肢として、本願実施例において、該ターゲットアップリンク信号は物理アップリンク共有チャネル（ＰＵＳＣＨ）、物理アップリンク制御チャネル（ＰＵＣＣＨ）、又は測定参照信号（ＳＲＳ）である。
【０１２９】
選択肢として、本願実施例において、該ターゲットアップリンク信号は、ノンコードブックに基づくプリコーディングの物理アップリンク共有チャネル（ＰＵＳＣＨ）であり、又はノンコードブックに基づくプリコーディングの物理アップリンク共有チャネル（ＰＵＳＣＨ）の伝送パラメータを取得するための測定参照信号（ＳＲＳ）である。
【０１３０】
選択肢として、本願実施例において、該ＣＳＩ−ＲＳリソース指示情報に示されるＣＳＩ−ＲＳリソースは、該ターゲットアップリンク信号のプリコーディング行列又は送信ビームを取得することに用いられ、又は、該ターゲットアップリンク信号に対応する第１のＳＲＳのプリコーディング行列又は送信ビームを取得することに用いられる。
【０１３１】
選択肢として、本願実施例において、該第１のＳＲＳは該ターゲットアップリンク信号の伝送パラメータを取得するためのＳＲＳであり、又は該第１のＳＲＳは該ターゲットアップリンク信号をスケジューリングするためのダウンリンク制御情報（ＤＣＩ）に含まれるＳＲＳリソース指示情報に示されるＳＲＳリソースにおいて伝送されるＳＲＳである。
【０１３２】
選択肢として、本願実施例において、該ターゲットアップリンク信号がＰＵＳＣＨである場合、該ＣＳＩ−ＲＳリソース指示情報は、該ＰＵＳＣＨをスケジューリングするためのダウンリンク制御情報（ＤＣＩ）、又は該ＰＵＳＣＨに対応する第２のＳＲＳを設定、トリガ、又はアクティブ化するためのダウンリンクシグナリングにベアリングされる。
【０１３３】
選択肢として、本願実施例において、該第２のＳＲＳは該ＰＵＳＣＨの伝送パラメータを取得するためのＳＲＳであり、又は該第２のＳＲＳは該ＰＵＳＣＨをスケジューリングするためのＤＣＩに含まれるＳＲＳリソース指示情報に示されるＳＲＳリソースにおいて伝送されるＳＲＳである。
【０１３４】
選択肢として、本願実施例において、該伝送パラメータは、使用される周波数領域リソース、レイヤー数、プリコーディング行列、変調符号化方式及び送信ビームのうちの少なくとも１つの情報を含む。
【０１３５】
選択肢として、本願実施例において、該ターゲットアップリンク信号がＳＲＳである場合、該ＣＳＩ−ＲＳリソース指示情報は該ＳＲＳを設定、トリガ、又はアクティブ化するためのダウンリンクシグナリングにベアリングされる。
【０１３６】
選択肢として、本願実施例において、該ネットワーク装置は更に、該端末装置に設定情報を送信することに用いられ、該設定情報は該少なくとも１つのＣＳＩ−ＲＳリソースと少なくとも１セットの電力制御パラメータとの対応関係を示すことに用いられ、該少なくとも１つのＣＳＩ−ＲＳリソースは該ＣＳＩ−ＲＳリソース指示情報に示されるＣＳＩ−ＲＳリソースを含み、該少なくとも１セットの電力制御パラメータのうちの各セットの電力制御パラメータは少なくとも１つの電力制御パラメータの値を含む第２送信ユニットを備える。
【０１３７】
選択肢として、本願実施例において、該ネットワーク装置は更に、該端末装置に設定情報を送信することに用いられ、該設定情報は少なくとも１つのＣＳＩ−ＲＳリソース指示情報と少なくとも１セットの電力制御パラメータとの対応関係を示すことに用いられ、該少なくとも１つのＣＳＩ−ＲＳリソース指示情報は該ＣＳＩ−ＲＳリソース指示情報を含み、該少なくとも１セットの電力制御パラメータのうちの各セットの電力制御パラメータは少なくとも１つの電力制御パラメータの値を含む第２送信ユニットを備える。
【０１３８】
選択肢として、本願実施例において、該電力制御パラメータは、該送信電力を計算するためのパスロス値、該送信電力を計算するためのパスロス値を測定するためのダウンリンク信号の情報、開ループ電力制御パラメータ及び閉ループ電力制御パラメータのうちの少なくとも１つの情報を含む。
【０１３９】
選択肢として、本願実施例において、該開ループ電力制御パラメータは、ターゲット電力Ｐｏの値、パスロス重み係数ａの値、ターゲット電力Ｐｏのインデックス、又はパスロス重み係数ａのインデックスを含む。
【０１４０】
選択肢として、本願実施例において、該閉ループ電力制御パラメータは、閉ループ電力制御プロセスのインデックスを含む。
【０１４１】
理解されるように、本願実施例によるネットワーク装置４００は、本願の方法実施例におけるネットワーク装置に対応することができ、そしてネットワーク装置４００における各ユニットの上記及び他の動作及び／又は機能は、それぞれ図３の方法におけるネットワーク装置の相応のフローを実現するためのものであり、簡潔のために、ここでは繰り返して説明しない。
【０１４２】
図６に示すように、本願実施例は更に端末装置５００を提供し、該端末装置５００は図４における端末装置３００であってもよく、図２における方法１００に対応する端末装置の内容を実行することに用いられることができる。該端末装置５００は、入力インタフェース５１０、出力インタフェース５２０、プロセッサ５３０、及びメモリ５４０を備え、該入力インタフェース５１０、出力インタフェース５２０、プロセッサ５３０及びメモリ５４０はバスシステムによって互いに接続されてもよい。該メモリ５４０はプログラム、命令又はコードを記憶することに用いられる。該プロセッサ５３０は該メモリ５４０におけるプログラム、命令又はコードを実行して、入力インタフェース５１０による信号受信、出力インタフェース５２０による信号送信を制御して、前述の方法実施例での動作を遂行することに用いられる。
【０１４３】
従って、本願実施例の端末装置は、アップリンク電力制御の精度向上に利し、それによって、システム伝送性能を高めることができる。
【０１４４】
理解されるように、本願実施例において、該プロセッサ５３０は中央処理装置（ＣＰＵ、Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは更に如何なる通常のプロセッサ等であってもよい。
【０１４５】
該メモリ５４０は読み取り専用メモリ及びランダムアクセスメモリを含んでもよく、そしてプロセッサ５３０に命令及びデータを提供する。メモリ５４０の一部には更に不揮発性ランダムアクセスメモリが含まれてもよい。例えば、メモリ５４０は更に装置タイプの情報を記憶してもよい。
【０１４６】
実現過程において、上記方法の各内容はプロセッサ５３０におけるハードウェアの集積論理回路又はソフトウェア形式の命令で遂行されてもよい。本願実施例に開示される方法の内容はハードウェアプロセッサで遂行し、又はプロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ５４０に位置し、プロセッサ５３０はメモリ５４０における情報を読み取り、ハードウェアと組み合わせて上記方法の内容を遂行する。重複を避けるために、ここでは詳しく説明しない。
【０１４７】
１つの具体的な実施形態では、端末装置３００における第１決定ユニット、第２決定ユニット、第３決定ユニット、及び第４決定ユニットは図６におけるプロセッサ５３０によって実現されてもよく、端末装置３００の送信ユニットは図６における出力インタフェース５２０によって実現されてもよく、端末装置３００の第１受信ユニット及び第２受信ユニットは図６における入力インタフェース５１０によって実現されてもよい。
【０１４８】
図７に示すように、本願実施例は更にネットワーク装置６００を提供し、該ネットワーク装置６００は図５におけるネットワーク装置４００であってもよく、図３における方法２００に対応するネットワーク装置の内容を実行することに用いられることができる。該ネットワーク装置６００は入力インタフェース６１０、出力インタフェース６２０、プロセッサ６３０、及びメモリ６４０を含み、該入力インタフェース６１０、出力インタフェース６２０、プロセッサ６３０及びメモリ６４０はバスシステムによって互いに接続されてもよい。該メモリ６４０はプログラム、命令又はコードを記憶することに用いられる。該プロセッサ６３０は該メモリ６４０におけるプログラム、命令又はコードを実行して、入力インタフェース６１０による信号受信、出力インタフェース６２０による信号送信を制御して、前述の方法実施例での動作を遂行することに用いられる。
【０１４９】
従って、本願実施例のネットワーク装置は、電力制御の精度向上に利し、それによって、システム伝送性能を高める。
【０１５０】
理解されるように、本願実施例において、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは更に如何なる通常のプロセッサ等であってもよい。
【０１５１】
該メモリ６４０は読み取り専用メモリ及びランダムアクセスメモリを含んでもよく、そしてプロセッサ６３０に命令及びデータを提供する。メモリ６４０の一部には更に不揮発性ランダムアクセスメモリが含まれてもよい。例えば、メモリ６４０は更に装置タイプの情報を記憶してもよい。
【０１５２】
実現過程において、上記方法の各内容はプロセッサ６３０におけるハードウェアの集積論理回路又はソフトウェア形式の命令で遂行されてもよい。本願実施例に開示される方法の内容はハードウェアプロセッサで遂行し、又はプロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０はメモリ６４０における情報を読み取り、ハードウェアと組み合わせて上記方法の内容を遂行する。重複を避けるために、ここでは詳しく説明しない。
【０１５３】
１つの具体的な実施形態では、ネットワーク装置４００における第１送信ユニット及び第２送信ユニットは図７における出力インタフェース６２０によって実現されてもよく、ネットワーク装置４００における受信ユニットは図７における入力インタフェース６１０によって実現されてもよい。
【０１５４】
当業者が意識できるように、本明細書に開示される実施例で記載される各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法で、説明される機能を実現することができるが、そのような実現は本願の範囲を超えるものと見なされるではない。
【０１５５】
当業者が明確に理解できるように、説明を容易で簡単にするために、上記説明されたシステム、装置及びユニットの具体的な動作過程については、前述の方法実施例における対応の過程を参照でき、ここでは繰り返して説明しない。
【０１５６】
本願に係る幾つかの実施例において、理解されるように、開示されるシステム、装置及び方法は他の方式で実現されてもよい。例えば、上記の装置実施例は単に模式的なものであり、例えば、該ユニットの区分は論理的な機能区分に過ぎず、実際の実施では別の区分方式があってもよく、例えば、複数のユニット又はコンポーネントが組み合わせられてもよく、又は別のシステムに統合されてもよく、又は一部の特徴が省略されてもよく、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１５７】
分離部材として説明された該ユニットは物理的に分離したものであってもでなくてもよく、ユニットとして表示された部材は物理ユニットであってもよく、物理ユニットでなくてもよく、即ち、一箇所に位置してもよく、複数のネットワークユニットに分散されてもよい。実際の需要に応じてその一部又は全部のユニットを選択して、本実施例案の目的を実現してもよい。
【０１５８】
また、本発明の各実施例において、各機能ユニットは１つの処理ユニットに統合されてもよく、各ユニットは独立して物理的に存在してもよく、２つ以上のユニットが１つのユニットに統合されてもよい。
【０１５９】
該機能がソフトウェア機能ユニットの形で実現され、そして独立した製品として販売又は使用される場合、１つのコンピュータ読み取り可能な記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例の全部又は一部のステップを実行させるための若干の命令を含む。前述の記憶媒体はＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる各種の媒体を含む。
【０１６０】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021503854.tif 000003
【図２】
2021503854.tif 000004
【図３】
2021503854.tif 000005
【図４】
2021503854.tif 000006
【図５】
2021503854.tif 000007
【図６】
2021503854.tif 000008
【図７】
2021503854.tif 000009
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
端末装置がターゲットアップリンク信号に対応するチャネル状態情報−参照信号（ＣＳＩ−ＲＳ）リソース指示情報を決定し、前記ＣＳＩ−ＲＳリソース指示情報に示されるＣＳＩ−ＲＳリソースは、前記ターゲットアップリンク信号の送信ビームを取得することに用いられることと、
前記端末装置が前記ＣＳＩ−ＲＳリソース指示情報に基づいて、前記ターゲットアップリンク信号の電力制御パラメータを決定することと、
前記端末装置が前記電力制御パラメータに基づいて、前記ターゲットアップリンク信号の送信電力を決定することと、
前記端末装置が前記送信電力に基づいて、前記ターゲットアップリンク信号をネットワーク装置に送信することと、を含むことを特徴とする信号伝送の方法。
【請求項２】
前記ターゲットアップリンク信号は物理アップリンク共有チャネル（ＰＵＳＣＨ）、物理アップリンク制御チャネル（ＰＵＣＣＨ）、又は測定参照信号（ＳＲＳ）であることを特徴とする請求項１に記載の方法。
【請求項３】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項１又は２に記載の方法。
【請求項４】
前記方法は更に、
前記端末装置が前記ネットワーク装置から送信された第１情報を受信し、前記第１情報が前記ＣＳＩ−ＲＳリソース指示情報を含むことを含み、
前記端末装置がターゲットアップリンク信号に対応するＣＳＩ−ＲＳリソース指示情報を決定することは、
前記端末装置が前記第１情報から、前記ＣＳＩ−ＲＳリソース指示情報を決定することを含むことを特徴とする請求項１〜３のいずれか１項に記載の方法。
【請求項５】
前記ターゲットアップリンク信号がＰＵＳＣＨである場合、前記第１情報は、前記ＰＵＳＣＨをスケジューリングするためのＤＣＩ、又は前記ＰＵＳＣＨに対応する第２のＳＲＳを設定、トリガ、又はアクティブ化するためのダウンリンクシグナリングであることを特徴とする請求項４に記載の方法。
【請求項６】
前記ターゲットアップリンク信号がＳＲＳである場合、前記第１情報は前記ＳＲＳを設定、トリガ、又はアクティブ化するためのダウンリンクシグナリングであることを特徴とする請求項４に記載の方法。
【請求項７】
前記方法は更に、
前記端末装置が前記ネットワーク装置から送信された設定情報を受信し、前記設定情報は、少なくとも１つのＣＳＩ−ＲＳリソース指示情報と少なくとも１セットの電力制御パラメータとの対応関係を示すことに用いられ、前記少なくとも１つのＣＳＩ−ＲＳリソース指示情報は、前記ＣＳＩ−ＲＳリソース指示情報を含み、前記少なくとも１セットの電力制御パラメータのうちの各セットの電力制御パラメータは、少なくとも１つの電力制御パラメータの値を含むことを含み、
前記端末装置が前記ＣＳＩ−ＲＳリソース指示情報に基づいて、前記ターゲットアップリンク信号の電力制御パラメータを決定することは、
前記端末装置が前記ＣＳＩ−ＲＳリソース指示情報及び前記設定情報に基づいて、前記電力制御パラメータを決定することを含むことを特徴とする請求項１〜６のいずれか１項に記載の方法。
【請求項８】
前記電力制御パラメータは、前記送信電力を計算するためのパスロス値、前記送信電力を計算するためのパスロス値を測定するためのダウンリンク信号の情報、開ループ電力制御パラメータ及び閉ループ電力制御パラメータのうちの少なくとも１つの情報を含むことを特徴とする請求項１〜７のいずれか１項に記載の方法。
【請求項９】
前記開ループ電力制御パラメータは、ターゲット電力Ｐｏの値、パスロス重み係数ａの値、ターゲット電力Ｐｏのインデックス、又はパスロス重み係数ａのインデックスを含むことを特徴とする請求項８に記載の方法。
【請求項１０】
前記閉ループ電力制御パラメータは、閉ループ電力制御プロセスのインデックスを含むことを特徴とする請求項８に記載の方法。
【請求項１１】
前記端末装置がターゲットアップリンク信号に対応するＣＳＩ−ＲＳリソース指示情報を決定する前に、前記方法は更に、
前記端末装置が、前記ネットワーク装置によって事前に設定された電力制御パラメータを採用して、前記ターゲットアップリンク信号の送信電力を決定することを含むことを特徴とする請求項１〜１０のいずれか１項に記載の方法。
【請求項１２】
ターゲットアップリンク信号に対応するチャネル状態情報−参照信号（ＣＳＩ−ＲＳ）リソース指示情報を決定し、前記ＣＳＩ−ＲＳリソース指示情報に示されるＣＳＩ−ＲＳリソースは、前記ターゲットアップリンク信号の送信ビームを取得することに用いられることに用いられる第１決定ユニットと、
前記ＣＳＩ−ＲＳリソース指示情報に基づいて、前記ターゲットアップリンク信号の電力制御パラメータを決定することに用いられる第２決定ユニットと、
前記電力制御パラメータに基づいて、前記ターゲットアップリンク信号の送信電力を決定することに用いられる第３決定ユニットと、
前記送信電力に基づいて、前記ターゲットアップリンク信号をネットワーク装置に送信することに用いられる送信ユニットと、を備えることを特徴とする端末装置。
【請求項１３】
前記ターゲットアップリンク信号は物理アップリンク共有チャネル（ＰＵＳＣＨ）、物理アップリンク制御チャネル（ＰＵＣＣＨ）、又は測定参照信号（ＳＲＳ）であることを特徴とする請求項１２に記載の端末装置。
【請求項１４】
前記ＣＳＩ−ＲＳリソース指示情報に示されるＣＳＩ−ＲＳリソースは、前記ターゲットアップリンク信号のプリコーディング行列又は送信ビームを取得することに用いられ、又は、前記ターゲットアップリンク信号に対応する第１のＳＲＳのプリコーディング行列又は送信ビームを取得することに用いられることを特徴とする請求項１２又は１３に記載の端末装置。
【請求項１５】
不揮発性コンピュータ可読媒体であって、
ターゲットアップリンク信号に対応するチャネル状態情報−参照信号（ＣＳＩ−ＲＳ）リソース指示情報を決定し、前記ＣＳＩ−ＲＳリソース指示情報に示されるＣＳＩ−ＲＳリソースは、前記ターゲットアップリンク信号の送信ビームを取得することに用いられ、
前記ＣＳＩ−ＲＳリソース指示情報に基づいて、前記ターゲットアップリンク信号の電力制御パラメータを決定し、
前記電力制御パラメータに基づいて、前記ターゲットアップリンク信号の送信電力を決定し、
前記送信電力に基づいて、前記ターゲットアップリンク信号をネットワーク装置に送信する作動を実行ためのコンピュータソフトウェア命令を記憶することに用いられる不揮発性コンピュータ可読媒体。
【国際調査報告】
2021503854.tif 000010
2021503854.tif 000011
2021503854.tif 000012
2021503854.tif 000013